(57)【要約】【課題】本発明の目的は、表示や操作用の部品ウィンドウを半透明にして表示することにより、各種複数のウィンドウを１つの画面に表示させた場合においても、ウィンドウの視認性と操作性を確保する表示装置を実現することにある。【解決手段】本発明は、  測定された波形と、操作用の部品を配置した操作パネルと、を表示する画面部を備えた表示装置において、前記波形を表示する少なくとも１つ以上のウィンドウと、前記操作パネルを表示する少なくとも１つ以上のウィンドウと、これら全てのウィンドウの表示優先順位を管理し、この表示優先順位に基づき表示優先順位が上位のウィンドウを半透明にしてウィンドウ同士を重ね合わせて前記画面部に表示する表示手段と、を備えたことを特徴とする。【選択図】図１
2011128936.tif 000002
【特許請求の範囲】
【請求項１】
測定された波形と、操作用の部品を配置した操作パネルと、を表示する画面部を備えた表示装置において、
前記波形を表示する少なくとも１つ以上のウィンドウと、
前記操作パネルを表示する少なくとも１つ以上のウィンドウと、
これら全てのウィンドウの表示優先順位を管理し、この表示優先順位に基づき表示優先順位が上位のウィンドウを半透明にしてウィンドウ同士を重ね合わせて前記画面部に表示する表示手段と、
を備えたことを特徴とする表示装置。
【請求項２】
前記画面部は、タッチパネルで構成されることを特徴とする請求項１記載の表示装置。
【請求項３】
半透明に表示された前記ウィンドウは、この半透明の度合いが可変であることを特徴とする請求項１または２記載の表示装置。
【請求項４】
ペーパレスレコーダに実装されることを特徴とする請求項１〜３のいずれかに記載の表示装置。
【請求項５】
ＰＯＳ端末に実装されることを特徴とする請求項１〜３のいずれかに記載の表示装置。
【請求項６】
前記表示手段は、前記操作パネルを前記波形を表示するウィンドウの余白近傍に重ね合わせて表示することを特徴とする請求項１〜５のいずれかに記載の表示装置。
【発明の詳細な説明】
【技術分野】
【０００１】
本発明は、波形や操作部品等をそれぞれウィンドウ表示する表示装置に関し、更に詳しくは、ウィンドウを半透明にすることで、表示を効率的に行う表示装置に関するものである。
【背景技術】
【０００２】
表示装置は、例えばプラント等で用いられるペーパレスレコーダなどで、外部に接続された測定機器等からのデータを入力し、波形表示等を行う装置である。
このような従来の表示装置を図面を用いて説明する。
【０００３】
図４は、従来の表示装置の構成例を示す図である。図４において、制御部１は、記憶部１１と、表示手段１２と、を有しており、図示しない外部機器からの２系統のチャネル（Ｃｈ１およびＣｈ２）によって波形データやアラーム情報を入力し、それら波形データやアラーム情報に基づき、それぞれ波形ウィンドウＡやアラーム表示ウィンドウＢのデータを作成し、記憶部１１に格納する。また、制御部１は、図示しない外部機器からのデータ入力の開始（ＯＮ）および停止（ＯＦＦ）を受け付ける操作部品ウィンドウＣのデータを作成し、記憶部１１に格納する。
表示手段１２は、ウィンドウ配置手段１２１を有し、記憶部１１と接続されている。
ウィンドウ配置手段１２１は、記憶部１１に格納されている前記波形ウィンドウＡと、アラーム表示ウィンドウＢと、操作部品ウィンドウＣの各データと、ウィンドウ配置手段１２１が有する予め定められたウィンドウ配置ルールに基づいて、ウィンドウ表示のためのデータを作成し、出力する。
画面部２は、タッチパネル等で形成され、ウィンドウ配置手段が出力するウィンドウ表示のためのデータに基づき、各ウィンドウを画面表示する。
【０００４】
このような従来の装置の動作例を、図面を用いて説明する。
図４において、制御部１は、外部機器からの波形データやアラーム情報に基づき、それぞれ波形ウィンドウＡやアラーム表示ウィンドウＢのデータを作成し、記憶部１１に格納する。また、制御部１は、外部機器からのデータ入力の開始（ＯＮ）および停止（ＯＦＦ）を受け付ける操作部品ウィンドウＣのデータを作成し、記憶部１１に格納する。
表示手段１２のウィンドウ配置手段１２１は、記憶部１１に格納されている波形ウィンドウＡと、アラーム表示ウィンドウＢと、操作部品ウィンドウＣのデータと、ウィンドウ配置ルールに基づいて、ウィンドウを配置して表示するためのデータを作成し、出力する。
画面部２は、ウィンドウ配置手段１２１が出力するデータに基づき、各ウィンドウを画面に表示する。
【０００５】
図５は、従来の表示装置の外観図であり、図５において正面が画面部２である。画面部２には、ウィンドウ配置手段１２１により配置された、波形ウィンドウＡと、アラーム表示ウィンドウＢと、操作部品ウィンドウＣとが表示されている。
波形ウィンドウＡは、外部機器から入力された２系統のチャネル（Ｃｈ１とＣｈ２）の波形を示している。それぞれチャネル番号（Ｃｈ１とＣｈ２）が付された波形が、右端を最新データとして表されている。
アラーム表示ウィンドウＢは、２系統のチャネル（Ｃｈ１とＣｈ２）からのアラーム表示を示している。アラーム信号が入力されると、入力されたチャネル番号のパネルの色が変化して、アラーム信号入力を知らせる。
操作部品ウィンドウＣは、外部機器からのデータ入力を開始（ＯＮ）するか停止（ＯＦＦ）するかの命令を受け付ける操作部品である。ＯＮボタンとＯＦＦボタンの画像を有し、これらのボタンをタッチパネル上にて操作することで入力を行うことができる。入力されたＯＮまたはＯＦＦの情報は、制御部１に出力され、制御部１が、外部機器からの制御部１へのデータ入力の開始（ＯＮ）または停止（ＯＦＦ）を制御する。
【０００６】
特許文献１には、外部機器からのデータを入力し、波形等の表示を行う従来の表示装置の構成が記載されている。
【先行技術文献】
【特許文献】
【０００７】
【特許文献１】特開２００１−０２１３８６号公報
【発明の概要】
【発明が解決しようとする課題】
【０００８】
このような表示装置はプラントなどの現場で用いられることから、小型化される傾向があり、それに従って表示画面のサイズにも制限がある。
しかしながら、従来の装置においては、波形ウィンドウＡと、アラーム表示ウィンドウＢと、操作部品ウィンドウＣを１つの画面に表示する際には、ウィンドウに透過性が無いのでウィンドウを互いに排他的に配置していた。もともとサイズが制限された小さい画面であるため、各ウィンドウは更に小さいものとなり、波形の認識が難しくなる。また、現場での作業者は、グローブなどを着用した指でタッチパネル等の操作部品ウィンドウを操作することになり、操作部品ウィンドウＣが小さいと操作作業が困難となる。
一方、各ウィンドウの大きさを確保するためにウィンドウそれぞれに画面を割り当てて、それらの画面を切り替えて表示するという構成も考えられる。しかしながら、この場合には、別々の画面に割り当てられたウィンドウ、例えば波形ウィンドウと操作部品ウィンドウを一度に認識できないという問題と、複数の画面を見たい場合に、画面の切り替えが発生し、手間がかかるという問題等があった。
【０００９】
そこで、本発明の目的は、ウィンドウを半透明にして表示することにより、各種複数のウィンドウを１つの画面に表示させた場合においても、ウィンドウの視認性と操作性を確保する表示装置を実現することにある。
【課題を解決するための手段】
【００１０】
このような課題を達成するために、本発明のうち請求項１記載の発明は、
測定された波形と、操作用の部品を配置した操作パネルと、を表示する画面部を備えた表示装置において、
前記波形を表示する少なくとも１つ以上のウィンドウと、
前記操作パネルを表示する少なくとも１つ以上のウィンドウと、
これら全てのウィンドウの表示優先順位を管理し、この表示優先順位に基づき表示優先順位が上位のウィンドウを半透明にしてウィンドウ同士を重ね合わせて前記画面部に表示する表示手段と、
を備えたことを特徴とする。
【００１１】
請求項２記載の発明は、請求項１記載の発明であって、
前記画面部は、タッチパネルで構成されることを特徴とする。
【００１２】
請求項３記載の発明は、請求項１または２記載の発明であって、
半透明に表示された前記ウィンドウは、この半透明の度合いが可変であることを特徴とする。
【００１３】
請求項４記載の発明は、請求項１〜３のいずれかに記載の発明であって、
ペーパレスレコーダに実装されることを特徴とする。
【００１４】
請求項５記載の発明は、請求項１〜３のいずれかに記載の発明であって、
ＰＯＳ端末に実装されることを特徴とする。
【００１５】
請求項６記載の発明は、請求項１〜５のいずれかに記載の発明であって、
前記表示手段は、前記操作パネルを前記波形を表示するウィンドウの余白近傍に重ね合わせて表示することを特徴とする。
【発明の効果】
【００１６】
本発明によれば、表示手段が、波形を表示する少なくとも１つ以上のウィンドウと、
操作パネルを表示する少なくとも１つ以上のウィンドウとのレイヤ(表示優先順位)を管理し、この表示優先順位に基づき表示優先順位が上位のウィンドウを半透明にしてウィンドウ同士を重ね合わせて画面部に表示するので、各ウィンドウを重畳して配置させた場合でも、上位のウィンドウに重なった下位のウィンドウも視認可能となり、それぞれのウィンドウサイズを適切に保持したまま表示を行うことができる表示装置を実現することができる。
【図面の簡単な説明】
【００１７】
【図１】本発明の一実施例の構成を示した図である。
【図２】図１の装置の外観を示した図である。
【図３】図１の装置のレイヤ概念図である。
【図４】従来の表示装置の構成例を示した図である。
【図５】図５の装置の外観を示した図である。
【発明を実施するための形態】
【００１８】
以下本発明を、図面を用いて詳細に説明する。
図１は本発明の一実施例の構成を示した図である。ここで、図４と同一のものは同一符号を付し、説明を省略する。
図１において、制御部１０は、記憶部１１と表示手段１３とを有しており、図示しない外部機器と、図示しない入力部からの出力を入力する。
表示手段１３は、ウィンドウ配置手段１２１のほかに、レイヤ管理手段１３１と透明度管理手段１３２とを有し、記憶部１１と接続されている。
レイヤ管理手段１３１は、記憶部１１の波形ウィンドウＡと、アラーム表示ウィンドウＢと、操作部品ウィンドウＣのレイヤ（表示優先順位）を管理する。
透明度管理手段１３２は、各ウィンドウを表示させる際のウィンドウの透明度を管理する。
画面部２は、表示手段１３と接続されており、表示手段１３の出力に基づいてウィンドウを画面表示する。
【００１９】
このような装置の動作例を、図面を用いて説明する。
図１において、表示手段１３のレイヤ管理手段１３１は、記憶部１１に格納されている波形ウィンドウＡと、アラーム表示ウィンドウＢと、操作部品ウィンドウＣを、レイヤ管理手段１３１が有するレイヤ割付ルールに基づいてレイヤに割り付ける。
レイヤとは、表示する際の表示優先順位を指す。
図２は、本発明のレイヤ概念図である。図２のように、最下位から順に、例えば、波形ウィンドウＡと、アラーム表示ウィンドウＢと、操作部品ウィンドウＣと、をそれぞれ、レイヤ１〜３に割り付けることをいう。（すなわち、最上位レイヤから、操作部品ウィンドウＣ、アラーム表示ウィンドウＢ、操作部品ウィンドウＣの順となる。）
レイヤの割付ルールは、図示しない入力部から制御部１０を介してレイヤ管理手段１３１に指定してもよいし、レイヤ管理手段１３１に対して予め定めておいてもよい。
透明度管理手段１３２は、透明度管理手段１３２が有する透明度ルールに基づいて、各ウィンドウの透明度を調整する。
透明度ルールは、各ウィンドウまたはレイヤに対する透明度（透過率）を決定するルールのことであり、透明度（透過率）は、０％から１００％の範囲で設定する。この透明度ルールは、図示しない入力部から制御部１０を介して透明度管理手段１３２に指定してもよいし、透明度管理手段１３２に対して予め定めておいてもよい。
【００２０】
表示手段１３は、記憶部１１に格納されている各ウィンドウについて、ウィンドウ配置手段１２１によって、ウィンドウ配置を決定し、レイヤ管理手段１３１によってレイヤに割り付け、透明度管理手段１３２によって透明度を調整し、出力される。
画面部２は、表示手段１３の出力に基づき、各ウィンドウを表示する。
図３は、本発明による装置の外観を示した図であり、正面の画面部２に、波形ウィンドウＡと、アラーム表示ウィンドウＢと、操作部品ウィンドウＣとが表示されている。
画面部２の全面に波形ウィンドウＡが表示され、その上位にアラーム表示ウィンドウＢと、操作部品ウィンドウＣが重ね合わされてかつ半透明に表示されている。操作部品ウィンドウＣは、表示は半透明であるが、最上位のレイヤ３に位置しているので、タッチパネルにより、ＯＮまたはＯＦＦボタンの入力操作が可能である。
【００２１】
このように、表示手段１３が、波形ウィンドウＡと、アラーム表示ウィンドウＢなど、少なくとも１つ以上の表示のためのウィンドウと、
操作部品ウィンドウＣを表示する少なくとも１つ以上の操作のためのウィンドウとのレイヤ(表示優先順位)を管理し、この表示優先順位に基づき表示優先順位が上位のウィンドウを半透明にしてウィンドウ同士を重ね合わせて画面部２に表示するので、各ウィンドウを重畳して配置させた場合でも、上位のウィンドウ、例えば操作部品ウィンドウＣは操作可能であり、また上位のウィンドウに重なった下位のウィンドウたとえば波形ウィンドウＡも視認可能となり、それぞれのウィンドウサイズを適切に保持したまま表示を行うことができる表示装置を実現することができる。
【００２２】
なお、本発明では、外部機器をカメラやビデオカメラ等として、プラント等の現場を撮影した画像データを制御部１０に入力してもよい。この場合、波形データウィンドウＡまたはアラーム情報ウィンドウＢの代わりに、画像ウィンドウを表示することになる。
そして、本発明では、ペーパレスレコーダの実施例を挙げたが、これ以外にも画面の比較的小さい表示装置、たとえば商品の在庫管理等を行うＰＯＳ端末（Point of sale system、略称POS）等の表示装置に実装してもよい。
【００２３】
また、表示手段１３は、ウィンドウ配置手段１２１によって、ウィンドウ配置を決定する構成を示したが、表示手段１３が、アラーム表示ウィンドウＢと、操作部品ウィンドウＣなどを波形ウィンドウＡに表示される波形の余白近傍へ自動的に配置し、重ね合わせて画面部２に表示する機能を有していてもよい。
そして、画面部２は、タッチパネルで形成される実施例を挙げたが、画面部２をＣＲＴやLiquid Crystal Display（LCD）などの液晶画面としてもよい。この場合、操作部品ウィンドウＣへの入力は、マウス等のポインティングデバイスによって行うことになる。
【符号の説明】
【００２４】
１０  制御部  
１１  記憶部
１３  表示手段
１３１  レイヤ管理手段
１３２  透明度管理手段
２  画面部
【図１】
2011128936.tif 000003
【図２】
2011128936.tif 000004
【図４】
2011128936.tif 000005
【図３】
2011128936.tif 000006
【図５】
2011128936.tif 000007